(57)【要約】【課題】  電子機器に搭載することで液晶表示パネルや操作キーだけでなく、他の部分も光らせてデザイン性を向上させることができ、低コストで省スペースなパイロットランプとしても代替可能な導光体及びこれを備えた電子機器を提供すること。【解決手段】  筐体１の側面及び端面で囲まれた主面に液晶表示パネル２及び操作キー３が設けられた電子機器に用いる導光体６であって、導光した光を光路変換して面状に出射し、液晶表示パネル２及び操作キー３を照明するパネル用導光部６ａ及びキー用導光部６ｂと、筐体１の側面及び端面に端面が露出され導光した光を外部に出射する露出端面部６ｄと、を有している。【選択図】  図１
2009059544.tif 000002
【特許請求の範囲】
【請求項１】
筐体の側面及び端面で囲まれた主面に画像表示パネル及び操作キーの少なくとも一方が設けられた電子機器に用いる導光体であって、
導光した光を光路変換して面状に出射し、前記画像表示パネル及び前記操作キーの少なくとも一方を照明する面状導光部と、
前記筐体の側面及び端面の少なくとも一面に端面が露出され導光した光を外部に出射する露出端面部と、を有していることを特徴とする導光体。
【請求項２】
請求項１に記載の導光体において、
全体がフィルム状とされていることを特徴とする導光体。
【請求項３】
請求項１又は２に記載の導光体において、
前記面状導光部を有する導光体本体と、
該導光体本体の端面に近接して対向配置され前記露出端面部とされる透明又は半透明の透光性部材と、を備えていることを特徴とする導光体。
【請求項４】
筐体の側面及び端面で囲まれた主面に画像表示パネル及び操作キーの少なくとも一方が設けられた電子機器であって、
光源と、
該光源からの光を入射させて導光する請求項１から３のいずれか一項に記載の導光体と、を備えていることを特徴とする電子機器。
【請求項５】
請求項４に記載の電子機器であって、
任意の一定状態を発光部からの発光により表示するパイロットランプ機構を備え、
前記露出端面部が、前記発光部とされることを特徴とする電子機器。
【発明の詳細な説明】
【技術分野】
【０００１】
本発明は、携帯電話機などの液晶表示パネルや操作キーを照明する面状光源に用いられる導光体及びこれを備えた電子機器に関する。
【背景技術】
【０００２】
携帯電話機、ＰＤＡ、モバイルタイプＰＣ（パーソナルコンピュータ）、携帯型ゲーム機等の電子機器に用いられるディスプレイには、画像表示のための液晶表示装置が広く採用されている。この液晶表示装置には、液晶表示パネルの裏面側から光を照射して表示画面の輝度を高めるバックライトユニットが用いられている。このバックライトユニットには、蛍光管やＬＥＤ等の光源からの光を導光して主面全体から液晶表示パネルに向けて出射させる導光板が用いられている。また、これら携帯電話機等の電子機器には、操作キーが用いられており、暗所での操作をし易くするために、例えば操作キーを裏面側から光を照射して照明する操作キー用の光源が採用されている。
【０００３】
従来、例えば特許文献１には、液晶パネルを照明する第１の照明部分と操作キーを照明する第２の照明部分とからなる一つの薄板状の導光板を用いた電子機器の照明装置が提案されている。また、特許文献２には、液晶パネルに対する光源からの光の一部を液晶パネル用導光板の光放出部から外部に放出し、ヒンジ部に設けた受光部で光放出部からの光を受光すると共に、さらにキーボード側ケースに設けた導光板で受光した光を進行させる折り畳み型の情報端末が提案されている。
【０００４】
【特許文献１】特開２００１−３５８８１６号公報
【特許文献２】特開２００２−４９４３９号公報
【発明の開示】
【発明が解決しようとする課題】
【０００５】
しかしながら、上記従来の技術には、以下の課題が残されている。
近年、携帯電話機、ＰＤＡ、モバイルタイプＰＣ（パーソナルコンピュータ）、携帯型ゲーム機等の電子機器では、液晶表示パネルや操作キーだけでなく、他の部分も光らせて外観上の特徴とし、デザイン性を向上させることが望まれている。
また、これら電子機器では、例えば充電時など任意の一定状態を発光により表示するＬＥＤ等のパイロットランプが実装されている場合が多いが、パイロットランプの部材コストや組立コスト等が必要であると共に、パイロットランプを搭載するためのスペースが必要になり、機器の小型化や薄型化の妨げになっていた。
【０００６】
本発明は、前述の課題に鑑みてなされたもので、電子機器に搭載することで液晶表示パネルや操作キーだけでなく、他の部分も光らせてデザイン性を向上させることができ、低コストで省スペースなパイロットランプとしても代替可能な導光体及びこれを備えた電子機器を提供することを目的とする。
【課題を解決するための手段】
【０００７】
本発明は、前記課題を解決するために以下の構成を採用した。すなわち、本発明の導光体は、筐体の側面及び端面で囲まれた主面に画像表示パネル及び操作キーの少なくとも一方が設けられた電子機器に用いる導光体であって、導光した光を光路変換して面状に出射し、前記画像表示パネル及び前記操作キーの少なくとも一方を照明する面状導光部と、前記筐体の側面及び端面の少なくとも一面に端面が露出され導光した光を外部に出射する露出端面部と、を有していることを特徴とする。
【０００８】
この導光体では、筐体の側面及び端面の少なくとも一面に端面が露出された露出端面部から光が外部に出射されるので、画像表示パネルや操作キーだけでなく、筐体の側面又は端面も発光可能になり、搭載する電子機器の外観デザインを向上させることができる。
【０００９】
また、本発明の導光体は、全体がフィルム状とされていることを特徴とする。すなわち、この導光体では、全体がフィルム状とされているので、全体が可撓性を有して屈曲及び湾曲変形可能であり、多様な形状及び形態の筐体に対応して実装可能である。
【００１０】
また、本発明の導光体は、前記面状導光部を有する導光体本体と、該導光体本体の端面に近接して対向配置され前記露出端面部とされる透明又は半透明の透光性部材と、を備えていることを特徴とする。すなわち、この導光体では、導光体本体と別体に設けられ、導光体本体の端面からの光を入射すると共に導光して露出端面部として外部に出射する透光性部材を備えているので、導光体本体とは異なる断面形状、厚さ又は色の透光性部材を採用することで、多様な形状や色の露出端面部を得ることができる。また、透光性部材により導光体本体の端面を保護することができ、傷が付くことを防止できる。
【００１１】
本発明の電子機器は、筐体の側面及び端面で囲まれた主面に画像表示パネル及び操作キーの少なくとも一方が設けられた電子機器であって、光源と、該光源からの光を入射させて導光する上記本発明の導光体と、を備えていることを特徴とする。
この電子機器では、上記本発明の導光体を備えているので、簡易な構成で画像表示パネルや操作キーの照明だけでなく、側面発光又は端面発光が可能でデザイン性を向上させることができる。
【００１２】
また、本発明の電子機器は、任意の一定状態を発光部からの発光により表示するパイロットランプ機構を備え、前記露出端面部が、前記発光部とされることを特徴とする。すなわち、この電子機器では、導光体の露出端面部がパイロットランプ機構の発光部とされるので、ＬＥＤ等のパイロットランプを別途用意して実装する必要がなく、部材コストや組立コストを低減することができると共に、省略したパイロットランプ部材の実装スペースが不要になり、より小型化又は薄型化を図ることができる。
【発明の効果】
【００１３】
本発明によれば、以下の効果を奏する。
すなわち、本発明に係る導光体によれば、筐体の側面及び端面の少なくとも一面に端面が露出された露出端面部から光が外部に出射されるので、画像表示パネルや操作キーだけでなく、筐体の側面又は端面も発光させることができる。したがって、この導光体を備えた電子機器によれば、外観デザインを向上させることができ、さらにパイロットランプの代替とすれば、部材コストや組立コストの低減及び小型化や薄型化を図ることができる。特に、デザイン性向上、薄型化及び軽量化が強く要望されている携帯電話機や携帯型ゲーム機などに好適である。
【発明を実施するための最良の形態】
【００１４】
以下、本発明に係る導光体及びこれを備えた電子機器の第１実施形態を、図１及び図２に基づいて説明する。なお、以下の説明に用いる各図面では、各部材を認識可能な大きさとするために縮尺を適宜変更している。
【００１５】
本実施形態の電子機器は、図１及び図２に示すように、全体が直方体形状とされた筐体１を有し、該筐体１の主面に液晶表示パネル（画像表示パネル）２及び操作キー３が設けられた、いわゆるストレートタイプの携帯電話機であって、ＬＥＤ光源（光源）Ｌと、該ＬＥＤ光源Ｌからの光を入射させて導光する導光体６と、該導光体６を用い液晶表示パネル２の裏面側に配されてこれを照明する液晶バックライトユニット７と、キー側筐体部４に設けられ上記操作キー３を備えたスイッチモジュールであるキー部８と、を備えている。
【００１６】
上記導光体６は、図１に示すように、全体が長方形のフィルム状であって、液晶表示パネル２を照明するパネル用導光部（面状導光部）６ａと、操作キー３を照明するキー用導光部（面状導光部）６ｂと、パネル用導光部６ａとキー用導光部６ｂとを連結して互いの間で光を導光可能な連結導光部６ｃと、筐体１の両側面及びＬＥＤ光源Ｌと反対側の端面に端面が露出され導光した光を外部に出射する露出端面部６ｄと、を有している。
すなわち、上記筐体１には、その両側面とＬＥＤ光源Ｌに対して反対側の端面とにわたってスリット状の挿入孔部１ａが形成され、該挿入孔部１ａに導光体６の露出端面部６ｄが露出状態に挿入されている。
【００１７】
この導光体６は、透光性の材料で構成され、その側端部から入射されたＬＥＤ光源Ｌからの光を導光すると共に光路変換し、その主面（本実施形態では上面）から照明対象物（液晶表示パネル２及び操作キー３）に対して面状の照明光を出射する可撓性を有した全体がフィルム状の導光板である。なお、この導光体６の厚さは、例えば１２５μｍ程度である。
さらに、この導光体６は、パネル用導光部６ａの表面に断面三角形状のプリズムや凸状ドット等の微細光学形状（図示略）が形成されている。また、キー用導光部６ｂにも、白色印刷ドット等の微細光学形状６ｄが表面に形成されている。なお、連結導光部６ｃにも必要に応じて表面に微細光学形状を施しても構わない。
【００１８】
また、導光体６は、例えば基材層（図示略）と、該基材層の上下面に成膜され光路変換を行う複数の微細光学形状が表面に形成された樹脂層（図示略）と、で構成されている。
上記基材層及び樹脂層は、例えば透明なポリカーボネイト樹脂やアクリル樹脂等で形成されている。基材層は、例えばロール成形方法などを用いて平坦なシート状にシート成形されている。また、樹脂層は、型を使い紫外光（ＵＶ光）で硬化する例えばアクリル系、ウレタン系、ウレタンアクリレート系、エポキシアクリレート系などの有機光反応効果樹脂の光硬化樹脂を用いて微細光学形状を賦形する紫外線（ＵＶ）硬化樹脂成形によって作製されている。
なお、上記成形で大判に作製されたものを、プレス切断やカッター切断することで、所定の形状の導光体６を得ている。
【００１９】
上記液晶用バックライトユニット７は、図２に示すように、ＬＥＤ光源（光源）Ｌと、該ＬＥＤ光源Ｌからの光を入射して導光する導光体６のパネル用導光部６ａと、該パネル用導光部６ａの上面に積層された拡散シート９、第１プリズムシート１０Ａ及び第２プリズムシート１０Ｂと、パネル用導光部６ａの下面に設置された反射シート１１と、を備えている。
【００２０】
上記拡散シート９は、例えば、アクリル樹脂やポリカーボネイト樹脂などの透明樹脂にシリカ粒子などを分散させたシートである。
【００２１】
上記第１プリズムシート１０Ａは、拡散シート９上に配され、上記第２プリズムシート１０Ｂは、第１プリズムシート１０Ａ上に配されている。第１プリズムシート１０Ａ及び第２プリズムシート１０Ｂは、拡散シート９からの光を上面側に集光するための透明シート状の部材であり、平行な複数の稜線を有するプリズム部を上面側に有している。また、第１プリズムシート１０Ａは、ＬＥＤ光源Ｌの光軸に対して、プリズム部の稜線がねじれの位置に設定され、特に、上方への高い指向性が得られる方向として、ＬＥＤ光源Ｌの光軸に直交する方向と平行に設定される。また、第２プリズムシート１０Ｂは、ＬＥＤ光源Ｌの光軸に対して、プリズム部の稜線が平行に設定されている。すなわち、第１プリズムシート１０Ａと第２プリズムシート１０Ｂとは、互いのプリズム部の稜線がねじれの位置に配され、平面視で互いに稜線が直交している。なお、拡散シート９、プリズムシート１０Ａ，１０Ｂは、必要に応じてキー用導光部６ｂに設けても構わない。この場合、別体でもパネル用導光部６ａに設けられた拡散シート９、プリズムシート１０Ａ，１０Ｂと一体化させても構わない。
【００２２】
上記ＬＥＤ光源Ｌは、導光体６のパネル用導光部６ａ側の端部に複数配置され、光源用の実装基板（図示略）に実装された白色ＬＥＤである。この白色ＬＥＤは、例えば基板上の半導体発光素子を樹脂材で封止したものであり、半導体発光素子として、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
【００２３】
また、この半導体発光素子を封止する樹脂材は、シリコーン樹脂を主剤とし、例えばＹＡＧ蛍光体が添加されている。このＹＡＧ蛍光体は、半導体発光素子からの青色光又は紫外光を黄色光に変換させて混色効果により白色光を生じさせるものである。なお、白色ＬＥＤとしては、上記以外でも種々のものが採用可能である。
なお、液晶表示パネル２の高い輝度を得るために、ＬＥＤ光源Ｌがパネル用導光部６ａ側に配置されていることが好ましいが、操作キー３側の輝度を高めるためにキー用導光部６ｂ側にＬＥＤ光源Ｌを配置しても構わず、またパネル用導光部６ａ側及びキー用導光部６ｂ側の両方に配置しても構わない。
【００２４】
上記液晶表示パネル２は、透過型又は半透過型の液晶表示パネルが採用される。例えば、半透過型の液晶表示パネル２の場合、透明電極、配向膜及び偏光板をそれぞれ有する上基板と下基板との間隙にＴＮ液晶やＳＴＮ液晶等の液晶をシール材で封止したパネル本体と、その下面側に光透過性と光反射性の両機能を持った半透過反射板と、を備えたものである。
【００２５】
上記反射シート１１は、光反射機能及び可撓性を有する金属薄板、フィルム、箔等であって、本実施形態では銀蒸着膜を設けたフィルムが採用されている。なお、上記銀蒸着膜の代わりに、アルミ金属蒸着膜などを採用しても構わない。
【００２６】
上記キー部８は、少なくとも一部が透過又は半透明の複数の操作キー３と、これら操作キー３の下部に設置され操作キー３に対応した凸部を下面に有するキーシート１３と、該キーシート１３の下方かつキー用導光部６ｂの下面に設置されたスイッチング機構１４と、を有している。
【００２７】
上記操作キー３は、透過又は半透明の樹脂で形成されたキーであって、電話番号等を入力するための番号、文字又は記号が表示され、複数でキートップ１５を構成している。
上記スイッチング機構１４は、例えば操作キー３及びキー用導光部６ｂの下方に配されたスイッチ基板１６と、この上に設置されたタクトスイッチ１７とで構成され、操作キー３が押圧された際にキーシート１３の凸部及び可撓性のキー用導光部６ｂを介して対応するタクトスイッチ１７が押されてスイッチ操作可能とされている。
【００２８】
上記電子機器では、例えば充電時など任意の一定状態を発光部からの発光により表示するパイロットランプ機構１９を備え、露出端面部６ｄが、この発光部とされる。すなわち、パイロットランプ機構１９は、筐体１内に収納されたマイクロコンピュータ等の制御部１９ａと、露出端面部６ｄが発光部となる上記導光体６と、上記ＬＥＤ光源Ｌと、で構成されている。このパイロットランプ機構１９では、制御部１９ａにより、例えば電子機器の充電池（図示略）にＡＣ電源が接続されて充電が開始されると、ＬＥＤ光源Ｌを発光させて露出端面部６ｄから光を外部に出射して発光させ充電状態であることを表示する。なお、ＬＥＤ光源Ｌが、Ｒ（赤）Ｇ（緑）Ｂ（青）など任意の異なる色でも発光可能である場合、充電中の発光色と充電完了時の発光色とを分けて露出端面部６ｄから発光させるようにしても構わない。また、他の例として、パイロットランプ機構１９の制御部１９ａにより、着信時や通話時等にＬＥＤ光源Ｌを発光させて露出端面部６ｄから光を外部に出射して表示するようにしても構わない。
【００２９】
このように本実施形態の導光体６では、筐体１の側面及び端面に端面が露出された露出端面部６ｄから光が外部に出射されるので、液晶表示パネル２や操作キー３だけでなく、筐体１の側面及び端面も発光可能になり、電子機器の外観デザインを向上させることができる。
したがって、この導光体６を備えた電子機器では、簡易な構成で液晶表示パネル２や操作キー３の照明だけでなく、側面発光又は端面発光が可能でデザイン性を向上させることができる。
【００３０】
特に、導光体６の露出端面部６ｄがパイロットランプ機構１９の発光部とされるので、ＬＥＤ等のパイロットランプを別途用意して実装する必要がなく、部材コストや組立コストを低減することができると共に、省略したパイロットランプ部材の実装スペースが不要になり、より小型化又は薄型化を図ることができる。
なお、導光体６は全体がフィルム状とされているので、全体が可撓性を有して屈曲及び湾曲変形可能であり、多様な形状及び形態の筐体に対応して実装可能である。
【００３１】
次に、本発明に係る導光体及び電子機器の第２から第５実施形態について、図３から図６を参照して以下に説明する。なお、以下の各実施形態の説明において、上記実施形態において説明した同一の構成要素には同一の符号を付し、その説明は省略する。
【００３２】
第２実施形態と第１実施形態との異なる点は、第１実施形態では、液晶表示パネル２を照明するパネル用導光部６ａとキー用導光部６ｂとを備えた導光体６を採用し、筐体１の側面のほぼ全長にわたって一方の端面まで露出端面部６ｄが配されているのに対し、第２実施形態では、図３に示すように、導光体２６が、液晶表示パネル２を照明するパネル用導光部２６ａと該パネル用導光部２６ａの側端面に設けられた露出端面部６ｄとで構成されている点である。
すなわち、第２実施形態では、液晶表示パネル２の両側に位置する筐体２１の側面に形成された挿入孔部２１ａに第１実施形態よりも短く露出端面部２６ｄが配されており、端面での発光はなく、両側面で発光可能とされている。
【００３３】
第３実施形態と第１実施形態との異なる点は、第１実施形態では、液晶表示パネル２を照明するパネル用導光部６ａとキー用導光部６ｂとを備えた導光体６を採用し、筐体１の側面のほぼ全長にわたって一方の端面まで露出端面部６ｄが配されているのに対し、第３実施形態では、図４に示すように、導光体３６が、操作キー３を照明するキー用導光部３６ｂと該キー用導光部３６ｂの側端面に設けられた露出端面部３６ｄとで構成されている点である。
すなわち、第３実施形態では、液晶表示パネル２の両側に位置する筐体３１の側面に形成されたスリット状の挿入孔部３１ａに第２実施形態よりも長くかつ第１実施形態よりも短い露出端面部３６ｄが配されて両側面及び端面で発光可能とされている。
【００３４】
第４実施形態と第１実施形態との異なる点は、第１実施形態では、液晶表示パネル２を筐体１の側面のほぼ全長及び一端面の全長にわたって露出端面部６ｄが配されているのに対し、第４実施形態では、図５に示すように、導光体４６が、液晶表示パネル２及び操作キー３を照明するパネル用導光部４６ａ及びキー用導光部４６ｂからそれぞれ矩形状に両側に２つずつ突出していると共に、キー用導光部４６ｂからＬＥＤ光源Ｌと反対側の端面に矩形状に突出した５つの露出端面部４６ｄを有している点である。
すなわち、第４実施形態では、筐体４１の両側面に２つの挿入孔部４１ａが形成さていると共に、端面に１つの挿入孔部４１ａが形成され、これらに各露出端面部４６ｄを挿入することで、筐体４１の側面及び端面に短い複数の露出端面部４６ｄが間隔を空けて配され発光可能とされている。
【００３５】
第５実施形態と第１実施形態との異なる点は、第１実施形態では、一枚の導光体６用い、その端面を露出端面部６ｄとしているのに対し、第５実施形態では、図６に示すように、導光体５６が、パネル用導光部５６ａ、連結導光部５６ｃ及びキー用導光部５６ｂを有する導光体本体５６Ａと、該導光体本体５６Ａの端面に近接して対向配置され露出端面部６ｄとされる透明又は半透明の透光性部材５６Ｂと、を備えている点である。
【００３６】
すなわち、第５実施形態の導光体５６では、長方形状の導光体本体５６ＡのＬＥＤ光源Ｌが配された辺以外の外周にコ字状の透光性部材５６Ｂが配され、この透光性部材５６Ｂの外周面が筐体１の挿入孔部１ａから筐体１の側面及び端面に露出している。この透光性部材５６ｂは、透明又は半透明のアクリル樹脂等で形成されている。
したがって、第５実施形態では、導光体本体５６Ａと別体に設けられ、導光体本体５６Ａの端面からの光を入射すると共に導光して露出端面部６ｄとして外部に出射する透光性部材５６Ｂを備えているので、導光体本体５６Ａとは異なる断面形状、厚さ又は色の透光性部材５６Ｂを採用することで、多様な形状や色の露出端面部６ｄを得ることができる。また、透光性部材５６Ｂにより導光体本体５６Ａの端面を保護することができ、傷が付くことを防止できる。
【００３７】
なお、本発明は上記各実施形態に限定されるものではなく、本発明の趣旨を逸脱しない範囲において種々の変更を加えることができる。
【００３８】
例えば、上記各実施形態では、電子機器として直方体形状の筐体１を有するストレート型携帯電話機を採用したが、他の形態の電子機器に適用しても構わない。例えば、本発明を、ヒンジ部を介して開閉し、折り畳み可能な折り畳み型携帯電話機に採用しても構わない。この場合、全体がフィルム状とされた導光体を用いることで、ヒンジ部での開閉動作にかかわらず、筐体内部に配された導光体が柔軟に湾曲又は屈曲でき、パネル用導光部、キー用導光部及び露出端面部への導光が可能となる。
【００３９】
また、反射シート１１と同様の反射機能を有するシートを、連結導光部や露出端面部の両側又は片面に設置して、導光効率の向上を図っても構わない。
また、導光体は、上述したように、全体がフィルム状とされたものが好ましいが、硬い薄板状のものを採用しても構わない。
【００４０】
また、上記各実施形態では、拡散シート９を用いているが、拡散シート９を省略したバックライトユニットとしても構わない。また、２枚のプリズムシートを用いているが、１枚のプリズムシートを採用したバックライトユニットとしても構わない。
また、上記各実施形態では、本発明を携帯電話機に適用したが、他の電子機器に採用しても構わない。例えば、ＰＤＡ、モバイルタイプＰＣ（パーソナルコンピュータ）、携帯型ゲーム機等の各種電子機器に適用可能である。
【００４１】
また、上記各実施形態では、画像表示パネルとして液晶表示パネル２を採用しているが、他の画像表示パネルを用いても構わない。例えば、電子ペーパーなどの画像表示パネルを採用しても良い。この場合、電子ペーパー本体の表面側にフロントライトユニットの一部として本発明の導光体におけるパネル用導光部が設置される。
【図面の簡単な説明】
【００４２】
【図１】本発明に係る導光体及び電子機器の第１実施形態において、携帯電話機（電子機器）及び導光体を示す斜視図である。
【図２】第１実施形態において、携帯電話機（電子機器）を示す概略的な断面図である。
【図３】本発明に係る導光体及び電子機器の第２実施形態において、携帯電話機（電子機器）及び導光体を示す斜視図である。
【図４】本発明に係る導光体及び電子機器の第３実施形態において、携帯電話機（電子機器）及び導光体を示す斜視図である。
【図５】本発明に係る導光体及び電子機器の第４実施形態において、携帯電話機（電子機器）及び導光体を示す斜視図である。
【図６】本発明に係る導光体及び電子機器の第５実施形態において、携帯電話機（電子機器）及び導光体を示す斜視図である。
【符号の説明】
【００４３】
１，２，３，４…筐体、１ａ，２１ａ，３１ａ，４１ａ…挿入孔部、２…液晶表示パネル（画像表示パネル）、３…操作キー、６，２６，３６，４６，５６…導光体、６ａ，２６ａ，４６ａ，５６ａ…パネル用導光部、６ｂ，３６ｂ，４６ｂ，５６ｂ…キー用導光部、６ｃ，４６ｃ，５６ｃ…連結導光部、６ｄ，２６ｄ，３６ｄ，４６ｄ，５６ｄ…露出端面部、７…液晶バックライトユニット、８…キー部、９…拡散シート、１０Ａ…第１プリズムシート、１０Ｂ…第２プリズムシート、１１…反射シート、１４…スイッチング機構、１７…タクトスイッチ、１９…パイロットランプ機構、５６Ａ…導光体本体、５６Ｂ…透光性部材、Ｌ…ＬＥＤ光源（光源）
【図１】
2009059544.tif 000003
【図２】
2009059544.tif 000004
【図３】
2009059544.tif 000005
【図４】
2009059544.tif 000006
【図５】
2009059544.tif 000007
【図６】
2009059544.tif 000008